(57)【特許請求の範囲】
【請求項１】
伝熱管の外周面に複数の鍔状フィンが軸方向に連装されて表面積を増大された複数のフィンチューブと、前記フィンチューブが挿通される複数の挿通孔が形成された中間保持部材とを備え、
前記中間保持部材に複数の前記フィンチューブが挿通されて纏められた複数の熱交換モジュールが互いに連結されるフィンチューブ式熱交換器であって、
複数の前記熱交換モジュールの間に介装される押圧部材を有し、
前記押圧部材は、連結される一方と他方の前記熱交換モジュールが連結された状態で、前記一方の熱交換モジュールのフィンチューブと、前記他方の熱交換モジュールのフィンチューブとの両方に圧接し、これら各々のフィンチューブを前記中間保持部材の中央部側に押圧する弾性体であることを特徴とするフィンチューブ式熱交換器。
【請求項２】
前記一方と他方の熱交換モジュールの連結部において、前記一方の熱交換モジュール側の前記フィンチューブと、前記他方の熱交換モジュール側の前記フィンチューブとは千鳥状に交互に噛み合うように配置されており、
前記押圧部材は、前記一方と他方の熱交換モジュールの各々の前記フィンチューブの間を蛇行して通る蛇行形状に成形された金属部品であり、
前記押圧部材の自由状態における前記蛇行形状の蛇行幅寸法が、前記一方と他方の熱交換モジュールの各々の前記フィンチューブの重なり幅寸法よりも小さく設定されていることを特徴とする請求項１に記載のフィンチューブ式熱交換器。
【請求項３】
前記一方と他方の熱交換モジュールの連結部において、前記一方の熱交換モジュール側の前記フィンチューブと、前記他方の熱交換モジュール側の前記フィンチューブとは千鳥状に交互に噛み合うように配置されており、
前記押圧部材は、前記一方と他方の熱交換モジュールの各々の前記フィンチューブの間を蛇行して通る蛇行形状に成形された金属部品であり、
前記押圧部材の全長に亘り、前記蛇行形状の蛇行ピッチ寸法よりも小さな波形ピッチ寸法を持つ波形状が成形されていることを特徴とする請求項１に記載のフィンチューブ式熱交換器。
【請求項４】
前記押圧部材は、その自由状態における蛇行形状の蛇行幅寸法が、前記一方と他方の熱交換モジュールの各々の前記フィンチューブの重なり幅寸法よりも小さく設定されていることを特徴とする請求項３に記載のフィンチューブ式熱交換器。
【請求項５】
前記一方と他方の熱交換モジュールの連結部において、前記一方の熱交換モジュール側の前記フィンチューブと、前記他方の熱交換モジュール側の前記フィンチューブとは千鳥状に交互に噛み合うように配置されており、
前記押圧部材は、その自由状態では蛇行形状を有さない略直線状であり、前記一方と他方の熱交換モジュール間に介装された時には、各々の熱交換モジュールのフィンチューブの間を蛇行して通る蛇行形状に変形する柔軟性を備えており、
且つ、前記押圧部材の全長に亘り、前記蛇行形状の蛇行ピッチ寸法よりも小さな波形ピッチ寸法を持つ波形状が成形されていることを特徴とする請求項１に記載のフィンチューブ式熱交換器。
【発明の詳細な説明】
【技術分野】
【０００１】
本発明は、排熱回収ボイラ（Heat  Recovery  Steam  Generator：HRSG）等に備わるフィンチューブ式熱交換器に関するものである。
【背景技術】
【０００２】
排熱回収ボイラ等に使用される熱交換器（過熱器、再熱器等も含む）は、従来のボイラに比べて排ガス温度が低く、排ガスからの熱回収は接触伝熱に期待せざるを得ないため、熱伝導効率の良いフィンチューブ型熱交換器が多く使用されている。
【０００３】
フィンチューブ型熱交換器は、伝熱管の外周面に複数の鍔状フィンを軸方向に連装して表面積を増大させたフィンチューブが複数本、それぞれ平行且つ水平となるように、Ｕ字管を介して直列に接続され、鉛直方向に多段に配列させることにより構成される。そして、伝熱管の内部を流通する水等の伝熱媒体と、鍔状フィンの間を流れる排ガスとの間で熱交換が行われ、排ガスの熱エネルギーが伝熱媒体に吸収されて他部署で有効利用される。
【０００４】
火力発電所等で用いられる大型の熱交換器では、その内部に配設されるフィンチューブの直線部の長さが約２０メートルにもなるため、フィンチューブの中間部が下方に撓むことを防止するために、フィンチューブの中間部が所定の間隔で保持される。具体的には、特許文献１に記載されているように、フィンチューブの外径と略同じ内径の挿通孔が多数形成された多孔板状の中間保持部材にフィンチューブが挿通され、この中間保持部材が熱交換器の容器の上部から吊り下げられることによってフィンチューブの撓みが防止される。
【０００５】
図１０に示すように、伝熱管５の外周面に鍔状フィン６が連装された複数のフィンチューブ３が中間保持部材１１の挿通孔１２に挿通されて纏められたものが熱交換モジュールＡ，Ｂとされ、これらの熱交換モジュールＡ，Ｂが連結金具１６とボルト１７により横並びに連結されたユニットが、熱交換器の内部において上下に複数段設置される。
【０００６】
多孔板状の中間保持部材１１は、フィンチューブ３が挿通される挿通孔１２が千鳥状（ハニカム状）に穿設されており、中間保持部材１１に挿通されるフィンチューブ３の配置密度が高くなるようになっている。これにより、限られた容量の熱交換器の内部により多くのフィンチューブ３を配設して熱交換効率を高めることができる。
【先行技術文献】
【特許文献】
【０００７】
【特許文献１】特開昭６０−１５９５９４号公報
【発明の概要】
【発明が解決しようとする課題】
【０００８】
このような熱交換器の内部において、各フィンチューブ３は排ガスの流動を受けて振動するため、中間保持部材１１の挿通孔１２に対して細かく衝突する運動を繰り返す。中間保持部材１１の挿通孔１２が円形であれば、上記のようにフィンチューブ３が挿通孔１２の内部で振動しても特に問題無いが、前述のように挿通孔１２は千鳥状に配列されているため、中間保持部材１１の端部においては挿通孔１２の一部が切断され、Ｃ字状に開放された形状となる。
【０００９】
このようにＣ字状に開放された形状の挿通孔１２にフィンチューブ３が挿通されると、挿通孔１２の下顎状の先端部分１２ａ（エッジ）がフィンチューブ３の鍔状フィン６の外周部に小さい面積で接触（角当たり）し、鍔状フィン６を異常摩耗させるという問題があった。このような異常摩耗は、ひいては伝熱管５の破損および伝熱媒体の漏洩を招くため、確実に防止しなければならない。
【００１０】
本発明は、このような事情に鑑みてなされたものであって、簡素な構成により、フィンチューブが中間保持部材の挿通孔の中で振動して異常摩耗を起こすことを防止することのできるフィンチューブ式熱交換器を提供することを目的とする。
【課題を解決するための手段】
【００１１】
上記課題を解決するために、本発明は以下の手段を採用する。
【００１２】
本発明に係るフィンチューブ式熱交換器は、伝熱管の外周面に複数の鍔状フィンが軸方向に連装されて表面積を増大された複数のフィンチューブと、前記フィンチューブが挿通される複数の挿通孔が形成された中間保持部材とを備え、前記中間保持部材に複数の前記フィンチューブが挿通されて纏められた複数の熱交換モジュールが互いに連結されるフィンチューブ式熱交換器であって、複数の前記熱交換モジュールの間に介装される押圧部材を有し、前記押圧部材は、連結される一方と他方の前記熱交換モジュールが連結された状態で、前記一方の熱交換モジュールのフィンチューブと、前記他方の熱交換モジュールのフィンチューブとの両方に圧接し、これら各々のフィンチューブを前記中間保持部材の中央部側に押圧する弾性体であることを特徴とする。
【００１３】
上記構成のフィンチューブ式熱交換器によれば、連結される２つの熱交換モジュールの間に介装された押圧部材により、両側の熱交換モジュールのフィンチューブが、それぞれ中間保持部材の挿通孔の中で中間保持部材の中央部側に向かって押圧される。このため、各フィンチューブが中間保持部材の挿通孔の中で振動することが防止される。特に、中間保持部材の端部においてＣ字状に開放された形状に切断されている挿通孔の下顎状の先端部分（エッジ）がフィンチューブの鍔状フィンの外周部に小さい面積で接触することが防止され、鍔状フィンが異常摩耗することを防止することができる。
【００１４】
また、本発明に係るフィンチューブ式熱交換器は、前記一方と他方の熱交換モジュールの連結部において、前記一方の熱交換モジュール側の前記フィンチューブと、前記他方の熱交換モジュール側の前記フィンチューブとは千鳥状に交互に噛み合うように配置されており、前記押圧部材は、前記一方と他方の熱交換モジュールの各々の前記フィンチューブの間を蛇行して通る蛇行形状に成形された金属部品であり、前記押圧部材の自由状態における前記蛇行形状の蛇行幅寸法が、前記一方と他方の熱交換モジュールの各々の前記フィンチューブの重なり幅寸法よりも小さく設定されていることを特徴とする。
【００１５】
上記構成のフィンチューブ式熱交換器は、押圧部材の自由状態における蛇行形状の蛇行幅寸法が、連結される両方の熱交換モジュールの間で千鳥状に配置されて対向するフィンチューブの重なり幅寸法よりも小さく設定されている。このため、対向するフィンチューブの間で金属部品である押圧部材が圧迫されて変形し、押圧部材の持つバネ作用（弾性）により、各フィンチューブがそれぞれ中間保持部材の挿通孔の中で中間保持部材の中央部側に向かって押圧される。
【００１６】
これにより、各フィンチューブが中間保持部材の挿通孔の中で振動することが防止され、各フィンチューブの異常摩耗が回避される。押圧部材は、その構造および形状が非常に簡素なものとなるため、低コストにて製造することができる。
【００１７】
また、本発明に係るフィンチューブ式熱交換器は、前記一方と他方の熱交換モジュールの連結部において、前記一方の熱交換モジュール側の前記フィンチューブと、前記他方の熱交換モジュール側の前記フィンチューブとは千鳥状に交互に噛み合うように配置されており、前記押圧部材は、前記一方と他方の熱交換モジュールの各々の前記フィンチューブの間を蛇行して通る蛇行形状に成形された金属部品であり、前記押圧部材の全長に亘り、前記蛇行形状の蛇行ピッチ寸法よりも小さな波形ピッチ寸法を持つ波形状が成形されていることを特徴とする。
【００１８】
上記構成のフィンチューブ式熱交換器は、その押圧部材が、連結される両方の熱交換モジュールの間で千鳥状に配置されて対向するフィンチューブの間を蛇行して通る蛇行形状であるとともに、その蛇行ピッチ寸法よりも小さな波形ピッチ寸法を持つ波形状が全長に亘って成形されている。
【００１９】
このため、対向するフィンチューブの間で、蛇行形状と波形状の両方を兼ね備えた金属部品である押圧部材が圧迫されて変形し、波形状の持つクッション作用によって各フィンチューブがそれぞれ中間保持部材の挿通孔の中で中間保持部材の中央部側に向かって押圧され、各フィンチューブが中間保持部材の挿通孔の中で振動することが防止され、各フィンチューブの異常摩耗が回避される。
【００２０】
また、本発明に係るフィンチューブ式熱交換器は、前記の波形状が前記押圧部材に設けられた構成において、前記押圧部材は、その自由状態における蛇行形状の蛇行幅寸法が、前記一方と他方の熱交換モジュールの各々の前記フィンチューブの重なり幅寸法よりも小さく設定されていることを特徴とする。
【００２１】
上記構成のフィンチューブ式熱交換器は、その押圧部材が、連結される両方の熱交換モジュールの間で千鳥状に配置されて対向するフィンチューブの間を蛇行して通る蛇行形状であり、その蛇行幅寸法が、対向するフィンチューブの重なり幅寸法よりも小さく設定され、且つ、その蛇行ピッチ寸法よりも小さな波形ピッチ寸法を持つ波形状が全長に亘って成形されている。
【００２２】
このため、対向するフィンチューブの間で、蛇行形状と波形状の両方を兼ね備えた金属部品である押圧部材が圧迫されて変形し、その蛇行形状の蛇行幅寸法がフィンチューブの重なり幅寸法よりも小さく設定されたことによってもたらされるバネ作用と、波形状によってもたらされるクッション作用との相乗効果によって各フィンチューブが挿通孔の中で防振的に保持され、且つ中間保持部材の中央部側に向かって押圧される。これにより、各フィンチューブが中間保持部材の挿通孔の中で振動することが防止され、異常摩耗が回避される。
【００２３】
また、本発明に係るフィンチューブ式熱交換器は、前記一方と他方の熱交換モジュールの連結部において、前記一方の熱交換モジュール側の前記フィンチューブと、前記他方の熱交換モジュール側の前記フィンチューブとは千鳥状に交互に噛み合うように配置されており、前記押圧部材は、その自由状態では蛇行形状を有さない略直線状であり、前記一方と他方の熱交換モジュール間に介装された時には、各々の熱交換モジュールのフィンチューブの間を蛇行して通る蛇行形状に変形する柔軟性を備えており、且つ、前記押圧部材の全長に亘り、前記蛇行形状の蛇行ピッチ寸法よりも小さな波形ピッチ寸法を持つ波形状が成形されていることを特徴とする。
【００２４】
上記構成のフィンチューブ式熱交換器は、その押圧部材が、自由状態では蛇行形状を有さない略直線状であり、連結される２つの熱交換モジュール間に介装されると、各々の熱交換モジュールのフィンチューブの間を蛇行して通る蛇行形状に変形する。そして、自由状態では略直線状であるものの、その全長に亘って波形状が成形されている。
【００２５】
このように、自由状態では蛇行形状を有さない略直線状となるように形成された押圧部材は、単なる波板状のものであればよく、その製造が極めて容易である。そして、この押圧部材は、波形状が成形されていることによって柔軟性に富むため、連結される２つの熱交換モジュールの間に挟まれた時には、各々の熱交換モジュールのフィンチューブの間を蛇行する形状に容易に変形し、各フィンチューブにフィットするとともに、各フィンチューブを中間保持部材の中央部側に押圧することができる。このため、簡素で安価な構造により、各フィンチューブが中間保持部材の挿通孔の中で振動することを防止し、フィンチューブの異常摩耗を抑制することができる。
【発明の効果】
【００２６】
以上のように、本発明に係るフィンチューブ式熱交換器によれば、簡素な構成により、フィンチューブが中間保持部材の挿通孔の中で振動して異常摩耗を起こすことを防止することができる。
【図面の簡単な説明】
【００２７】
【図１】本発明を適用可能フィンチューブ式熱交換器の概略構成を示す縦断面図である。
【図２】フィンチューブの構造例を示す斜視図である。
【図３】図１のIII-III線に沿う縦断面図である。
【図４】図３のIV部拡大図である。
【図５】押圧部材の第１実施形態を示す縦断面図である。
【図６】押圧部材の第１実施形態の作用を示す図である。
【図７】押圧部材の第２実施形態を示す縦断面図である。
【図８】押圧部材の第３実施形態を示す縦断面図である。
【図９】押圧部材の第４実施形態を示す縦断面図である。
【図１０】従来の技術を示すフィンチューブと中間保持部材の縦断面図である。
【発明を実施するための形態】
【００２８】
以下、本発明の好適な実施の形態について詳細に説明する。
図１は、本発明を適用可能フィンチューブ式熱交換器の概略構成を示す縦断面図である。このフィンチューブ式熱交換器１は、排熱回収ボイラ（HRSG）等のボイラに設けられ、その熱交換容器２の内部に、水平な複数のフィンチューブ３がＵ字管４を介して接続されて、複数列、多数段に配列された構成となっている。
【００２９】
図２にも示すように、フィンチューブ３は、ステンレス鋼等で形成された伝熱管５の外周面に多数の鍔状フィン６が軸方向に短い間隔を開けて直立するように固定された構造である。伝熱管５の内部には、例えばボイラに供給される水が流される。なお、ここでの鍔状フィン６は、その外周縁部に歯車状の凹凸が形成されたセレートフィンとなっているが、凹凸が無い円板状のものとしてもよい。
【００３０】
熱交換容器２の底部と頂部には、それぞれ排ガス流入ダクト８と排ガス流出ダクト９とが設けられ、図示しない燃焼器で燃焼を終えた燃料の高温な排ガスが排ガス流入ダクト８から流入して熱交換容器２の内部を下方から上方に通過し、排ガス流出ダクト９から流出する。そして、鍔状フィン６により表面積を増大されたフィンチューブ３の周囲を高温な排ガスが流れることにより、伝熱管５の内部を流れる水が排ガスと熱交換して加熱される。こうして排気ガスの熱が効率良く回収されて有効に利用される。
【００３１】
フィンチューブ３の直線部の長さは２０メートルにも達するため、重量のあるフィンチューブ３の中間部が下方に撓むことを防止するべく、所定の間隔で設置された複数の中間保持部材１１によってフィンチューブ３の中間部が保持される。中間保持部材１１は所定の厚みを備えた平板状の部材であり、フィンチューブ３が挿通される多数の挿通孔１２が穿設され、熱交換容器２の天井構造材１３等から吊持具１４によって吊り下げられ、これによりフィンチューブ３中間部の撓みが防止される。
【００３２】
図３は図１のIII-III線に沿う縦断面図である。また、図４は図３のIV部拡大図である。
中間保持部材１１に形成されている多数の挿通孔１２は千鳥状（ハニカム状）に穿設されており、中間保持部材１１に挿通されるフィンチューブ３の配置密度が高められて熱交換効率の向上が図られている。
【００３３】
図３に示すように、中間保持部材１１に複数のフィンチューブ３が挿通されて纏められたものが熱交換モジュールＡ，Ｂとされ、これらの熱交換モジュールＡ，Ｂが連結金具１６とボルト１７により横並びに連結されたユニットＵが、熱交換容器２の内部において上下多段に設置される。さらに、複数のユニットＵが連結部材１８を介して横並びにも連結される。
【００３４】
図４に拡大して示すように、各熱交換モジュールＡ，Ｂの連結部においては、中間保持部材１１の端部に位置する挿通孔１２の一部が切断されてＣ字状に開放された形状となっている。このようにＣ字状に開放された挿通孔１２にもフィンチューブ３が挿通されており、熱交換モジュールＡ側のフィンチューブ３と、熱交換モジュールＢ側のフィンチューブ３とが千鳥状に交互に噛み合うように配置されている。
【００３５】
そして、熱交換モジュールＡ，Ｂの間に押圧部材２０が介装される。この押圧部材２０は、熱交換モジュールＡ，Ｂが連結された状態で、両方の熱交換モジュールＡ，Ｂの、Ｃ字状に開放された形状の挿通孔１２に挿通されているフィンチューブ３に圧接し、これら両側のフィンチューブ３を、それぞれの熱交換モジュールＡ，Ｂの中間保持部材１１の中央部側、即ち矢印Ｍの方向に押圧する弾性体である。
【００３６】
このような押圧部材２０を設けることにより、各フィンチューブ３が挿通孔１２の中で振動することが防止される。特に、中間保持部材１１の端部においてＣ字状に開放された形状に切断されている挿通孔１２の下顎状の先端部分１２ａ（エッジ）がフィンチューブ３の鍔状フィン６の外周部に小さい面積で接触する（角当たり）ことが防止され、鍔状フィン６が異常摩耗することを効果的に抑制することができる。
【００３７】
［第１実施形態］
図５は、押圧部材２０の第１実施形態を示す縦断面図である。この押圧部材２０Ａは、例えば厚さが３〜５ミリ程度、幅が１〜２メートル程度の金属帯板であり、熱交換モジュールＡ，Ｂの各々のフィンチューブ３の間を蛇行して通る蛇行形状に成形されている。そして、熱交換モジュールＡ，Ｂの各々の中間保持部材１１の間、もしくは中間保持部材１１に近接した位置に設置されている。
【００３８】
また、押圧部材２０Ａは、その自由状態における蛇行形状の蛇行幅寸法Ｗ２が、連結される熱交換モジュールＡ，Ｂの各々のフィンチューブ３の重なり幅寸法Ｗ１よりも小さく設定されている。このため、熱交換モジュールＡとＢとが連結されると、図６に示すように、その対向するフィンチューブ３の間で押圧部材２０Ａが圧迫され、金属部品である押圧部材２０Ａが曲率の小さい自由形状２０ａから曲率の大きい圧迫形状２０ｂに変形する。
【００３９】
そして、押圧部材２０Ａの持つバネ作用（弾性）によって発生する押圧力Ｆにより、各フィンチューブ３がそれぞれ挿通孔１２の中で中間保持部材１１の中央部側（Ｍ方向）に向かって押圧される。
【００４０】
これにより、各フィンチューブ３が挿通孔１２の中で振動することが防止され、各フィンチューブ３の異常摩耗が抑制される。特に、Ｃ字状に開放された形状に切断されている挿通孔１２においては、押圧部材２０Ａに押圧されたフィンチューブ３の鍔状フィン６が挿通孔１２の下顎状の先端部分（エッジ）１２ａ（図４参照）から浮き上がり、先端部分１２ａに接触しなくなるため、先端部分１２ａとの接触によって鍔状フィン６が異常摩耗することを効果的に抑制することができる。
【００４１】
押圧部材２０Ａは、板金材料を蛇行形状に成形しただけの非常に簡素な形状であるため、低コストにて製造することができる。
【００４２】
［第２実施形態］
図７は、押圧部材の第２実施形態を示す縦断面図である。この押圧部材２０Ｂは、その厚さが第１実施形態における押圧部材２０Ａよりも薄く、幅が１〜２メートル程度の金属帯板であり、熱交換モジュールＡ，Ｂの各々のフィンチューブ３の間を蛇行して通る蛇行形状に成形されている。
【００４３】
そして、押圧部材２０Ｂの全長に亘り、その蛇行形状の蛇行ピッチ寸法Ｐ１よりも小さな波形ピッチ寸法Ｐ２を持つ波形状２２が連続的に成形されている。即ち、この押圧部材２０Ｂは、波形状２２が連続した波板がさらに蛇行した形状に湾曲整形されたものである。押圧部材２０Ｂは、これらの波形状２２の頂部においてフィンチューブ３の鍔状フィン６の外周と接触する。
【００４４】
このため、図４のように熱交換モジュールＡとＢとが連結されると、その対向するフィンチューブ３の間で、蛇行形状と波形状２２の両方を兼ね備えた金属部品である押圧部材２０Ｂが圧迫されて変形し、波形状２２の持つクッション作用によって各フィンチューブ３がそれぞれ中間保持部材１１の挿通孔１２の中で中間保持部材１１の中央部側に向かって押圧される。したがって、各フィンチューブ３が挿通孔１２の中で振動することが防止され、各フィンチューブ３（鍔状フィン６）の異常摩耗が回避される。
【００４５】
［第３実施形態］
図８は、押圧部材の第３実施形態を示す縦断面図である。この押圧部材２０Ｃは、第２実施形態における押圧部材２０Ｂと同様に、熱交換モジュールＡ，Ｂの各々のフィンチューブ３の間を蛇行して通る蛇行形状に成形されるとともに、押圧部材２０Ｃの全長に亘り、その蛇行形状の蛇行ピッチ寸法Ｐ１よりも小さな波形ピッチ寸法Ｐ２を持つ波形状２２が連続的に成形されている。
【００４６】
また、第１実施形態における押圧部材２０Ａ（図５参照）と同様に、その自由状態における蛇行形状の蛇行幅寸法Ｗ２が、連結される熱交換モジュールＡ，Ｂの各々のフィンチューブ３の重なり幅寸法Ｗ１よりも小さく設定されている。
【００４７】
このため、図４のように熱交換モジュールＡとＢとが連結されると、対向するフィンチューブ３の間で、蛇行形状と波形状２２の両方を兼ね備えた金属部品である押圧部材２０Ｃが圧迫されて変形する。そして、押圧部材２０Ｃの蛇行幅寸法Ｗ２がフィンチューブ３の重なり幅寸法Ｗ１よりも小さく設定されたことによってもたらされるバネ作用（押圧力）と、波形状２２によってもたらされるクッション作用との相乗効果によって各フィンチューブ３が挿通孔１２の中で防振的に保持され、且つ中間保持部材１１の中央部側に向かって押圧される。
これにより、各フィンチューブ３が挿通孔１２の中で振動することが防止され、鍔状フィン６等の異常摩耗を抑制することができる。
【００４８】
［第４実施形態］
図９は、押圧部材の第４実施形態を示す縦断面図である。この押圧部材２０Ｄは、その自由状態では第１〜第３実施形態の押圧部材２０Ａ，２０Ｂ，２０Ｃのような蛇行形状を有さない略直線状である。また、第２、第３実施形態の押圧部材２０Ｂ，２０Ｃのように、その全長に亘って、各フィンチューブ３の蛇行ピッチ寸法Ｐ１よりも小さな波形ピッチ寸法Ｐ２を持つ波形状２２が連続的に成形されている。そして、図４のように熱交換モジュールＡとＢとが連結され、その間に介装された時には、各々の熱交換モジュールＡ，Ｂのフィンチューブ３の間を蛇行して通る蛇行形状に変形できる柔軟性を備えている。
【００４９】
このように、自由状態では蛇行形状を有さない略直線状に形成されている押圧部材２０Ｄは、単なる波板状のものであればよく、その製造が極めて容易である。そして、この押圧部材２０Ｄは、波形状２２が成形されていることによって柔軟性に富むため、連結される２つの熱交換モジュールＡ，Ｂの間に挟まれた時には、各々の熱交換モジュールＡ，Ｂのフィンチューブ３の間を蛇行する形状に容易に変形し、各フィンチューブ３にフィットして、各フィンチューブ３を中間保持部材１１の中央部側に押圧することができる。このため、簡素で安価な構造により、各フィンチューブ３が中間保持部材１１の挿通孔１２の中で振動することを防止し、フィンチューブ３の異常摩耗を抑制することができる。
【００５０】
以上説明したように、前記各実施形態に係るフィンチューブ式熱交換器１によれば、連結される熱交換モジュールＡとＢの間に押圧部材２０Ａ，２０Ｂ，２０Ｃ，２０Ｄを介装するという簡素な構成により、フィンチューブ３が中間保持部材１１の挿通孔１２の中で振動して異常摩耗を起こすことを効果的に防止することができる。
【００５１】
なお、本発明は、上記の第１〜第４実施形態の構成のみに限定されるものではなく、本発明の要旨を逸脱しない範囲内において適宜変更や改良を加えることができ、このように変更や改良を加えた実施形態も本発明の権利範囲に含まれるものとする。
【符号の説明】
【００５２】
１  フィンチューブ式熱交換器
３  フィンチューブ
５  伝熱管
６  鍔状フィン
１１  中間保持部材
１２  挿通孔
２０Ａ，２０Ｂ，２０Ｃ，２０Ｄ  押圧部材
２２  波形状
Ａ，Ｂ  熱交換モジュール
Ｍ  中間保持部材の中央部側
Ｐ１  蛇行ピッチ寸法
Ｐ２  波形ピッチ寸法
Ｗ１  フィンチューブの重なり幅寸法
Ｗ２  押圧部材の自由状態における蛇行幅寸法
【図１】
0006016752.tif 000002
【図２】
0006016752.tif 000003
【図３】
0006016752.tif 000004
【図４】
0006016752.tif 000005
【図５】
0006016752.tif 000006
【図６】
0006016752.tif 000007
【図７】
0006016752.tif 000008
【図８】
0006016752.tif 000009
【図９】
0006016752.tif 000010
【図１０】
0006016752.tif 000011